(57)【要約】      （修正有）【課題】過去に請求した単価の記録を表示することができる単価管理装置、単価管理方法および単価管理プログラムを提供する。【解決手段】単価管理装置１００は、得意先と、得意先から受注した単価の判断項目となる単価判断項目を含む受注内容の入力を受け付ける。受け付けた得意先と単価判断項目の項目内容との組み合わせが、得意先ごとに単価判断項目の項目内容に応じた単価を記憶する単価マスタに記憶されている場合に、得意先及び単価判断項目の項目内容に対応付けられている単価を表示させる。単価が確定した場合に、得意先及び単価判断項目の項目内容に対応付けて確定した単価を前記単価マスタに記憶させる。【選択図】図１
2019114032.tif 000002
【特許請求の範囲】
【請求項１】
制御部を備えた単価管理装置であって、
前記制御部は、
得意先と、当該得意先から受注した、単価の判断項目となる単価判断項目を含む受注内容の入力を受け付ける入力手段と、
前記入力手段が受け付けた前記得意先と前記単価判断項目の項目内容との組み合わせが、前記得意先ごとに前記単価判断項目の項目内容に応じた単価を記憶する単価マスタに記憶されている場合に、当該単価マスタで前記入力手段が受け付けた前記得意先及び前記単価判断項目の前記項目内容に対応付けられている単価を表示させる表示制御手段と、
単価が確定した場合に、前記入力手段が受け付けた前記得意先及び前記単価判断項目の前記項目内容に対応付けて確定した当該単価を前記単価マスタに記憶させる記憶制御手段と、
を備えたこと、
を特徴とする単価管理装置。
【請求項２】
前記制御部は、
前記得意先ごとに、前記単価判断項目を設定する設定手段、
をさらに備えたこと、
を特徴とする請求項１に記載の単価管理装置。
【請求項３】
前記設定手段は、単価が確定した場合に、確定した当該単価を前記単価マスタに記憶するか否かを設定すること、
を特徴とする請求項２に記載の単価管理装置。
【請求項４】
前記設定手段は、前記単価判断項目を選択する画面で受け付けた入力に基づいて、前記得意先ごとに前記単価判断項目を設定すること、
を特徴とする請求項２または３に記載の単価管理装置。
【請求項５】
制御部を備えた情報処理装置で実行される単価管理方法であって、
前記制御部で実行される、
得意先と、当該得意先から受注した、単価の判断項目となる単価判断項目を含む受注内容の入力を受け付ける入力ステップと、
前記入力ステップで受け付けられた前記得意先と前記単価判断項目の項目内容との組み合わせが、前記得意先ごとに前記単価判断項目の項目内容に応じた単価を記憶する単価マスタに記憶されている場合に、当該単価マスタで前記入力ステップにより受け付けられた前記得意先及び前記単価判断項目の前記項目内容に対応付けられている単価を表示させる表示制御ステップと、
単価が確定した場合に、前記入力ステップが受け付けた前記得意先及び前記単価判断項目の前記項目内容に対応付けて確定した当該単価を前記単価マスタに記憶させる記憶制御ステップと、
を含むこと、
を特徴とする単価管理方法。
【請求項６】
制御部を備えた情報処理装置に実行させるための単価管理プログラムであって、
前記制御部に実行させるための、
得意先と、当該得意先から受注した、単価の判断項目となる単価判断項目を含む受注内容の入力を受け付ける入力ステップと、
前記入力ステップで受け付けられた前記得意先と前記単価判断項目の項目内容との組み合わせが、前記得意先ごとに前記単価判断項目の項目内容に応じた単価を記憶する単価マスタに記憶されている場合に、当該単価マスタで前記入力ステップにより受け付けられた前記得意先及び前記単価判断項目の前記項目内容に対応付けられている単価を表示させる表示制御ステップと、
単価が確定した場合に、前記入力ステップが受け付けた前記得意先及び前記単価判断項目の前記項目内容に対応付けて確定した当該単価を前記単価マスタに記憶させる記憶制御ステップと、
を含むこと、
を特徴とする単価管理プログラム。
【発明の詳細な説明】
【技術分野】
【０００１】
本発明は、単価管理装置、単価管理方法および単価管理プログラムに関する。
【背景技術】
【０００２】
特許文献１には、「商品の輸送負荷が、予め設定した所定の梱包ユニットの自然数倍に換算された梱包ユニット数と、当該商品の個数、および当該商品の輸送区間の運賃単価と、を用いた所定の演算手法により輸送運賃が算定されるので、梱包ユニットの自然数倍の運賃設定が可能となることとなって、梱包ユニットを適正な値に設定すれば、小ロットの商品輸送でも採算性を確保することが出来る輸送運賃算定システム」が開示されている（０００６段落等参照）。
【先行技術文献】
【特許文献】
【０００３】
【特許文献１】特開２００１−２６５８６４号公報
【発明の概要】
【発明が解決しようとする課題】
【０００４】
ところで、例えば運送業の場合、運送業者は、特便と呼ばれる緊急の運送を依頼されることがある。特便の場合、運送業者は、通常の依頼ではないため、事前に定められた単価表の単価ではなく、交渉により単価を定めている。交渉に際して、運送業者は、妥当性を有する単価を提案する必要があるため、同様の条件で運送した前回の特便の単価を調査していた。しかしながら、単価の調査は、得意先ごとに運送内容と単価を決定する判断項目が異なることもあり、煩わしく時間がかかるとの問題を抱えていた。また、この様な問題は、運送業に限らず、卸売業等の単価を用いて金額を算出する他の業界でも生じている。
【０００５】
本発明は、上記に鑑みてなされたものであって、過去に請求した単価の記録を表示することができる単価管理装置、単価管理方法および単価管理プログラムを提供することを目的とする。
【課題を解決するための手段】
【０００６】
上述した課題を解決し、目的を達成するために、本発明に係る単価管理装置は、制御部を備えた単価管理装置であって、前記制御部は、得意先と、当該得意先から受注した、単価の判断項目となる単価判断項目を含む受注内容の入力を受け付ける入力手段と、前記入力手段が受け付けた前記得意先と前記単価判断項目の項目内容との組み合わせが、前記得意先ごとに前記単価判断項目の項目内容に応じた単価を記憶する単価マスタに記憶されている場合に、当該単価マスタで前記入力手段が受け付けた前記得意先及び前記単価判断項目の前記項目内容に対応付けられている単価を表示させる表示制御手段と、単価が確定した場合に、前記入力手段が受け付けた前記得意先及び前記単価判断項目の前記項目内容に対応付けて確定した当該単価を前記単価マスタに記憶させる記憶制御手段と、を備えたこと、を特徴とする。
【０００７】
また、本発明に係る単価管理装置においては、前記制御部は、前記得意先ごとに、前記単価判断項目を設定する設定手段、をさらに備えたこと、を特徴とする。
【０００８】
また、本発明に係る単価管理装置においては、前記設定手段は、単価が確定した場合に、確定した当該単価を前記単価マスタに記憶するか否かを設定すること、を特徴とする。
【０００９】
また、本発明に係る単価管理装置においては、前記設定手段は、前記単価判断項目を選択する画面で受け付けた入力に基づいて、前記得意先ごとに前記単価判断項目を設定すること、を特徴とする。
【００１０】
また、本発明に係る単価管理方法は、制御部を備えた情報処理装置で実行される単価管理方法であって、前記制御部で実行される、得意先と、当該得意先から受注した、単価の判断項目となる単価判断項目を含む受注内容の入力を受け付ける入力ステップと、前記入力ステップで受け付けられた前記得意先と前記単価判断項目の項目内容との組み合わせが、前記得意先ごとに前記単価判断項目の項目内容に応じた単価を記憶する単価マスタに記憶されている場合に、当該単価マスタで前記入力ステップにより受け付けられた前記得意先及び前記単価判断項目の前記項目内容に対応付けられている単価を表示させる表示制御ステップと、単価が確定した場合に、前記入力ステップが受け付けた前記得意先及び前記単価判断項目の前記項目内容に対応付けて確定した当該単価を前記単価マスタに記憶させる記憶制御ステップと、を含むこと、を特徴とする。
【００１１】
また、本発明に係る単価管理プログラムは、制御部を備えた情報処理装置に実行させるための単価管理プログラムであって、前記制御部に実行させるための、得意先と、当該得意先から受注した、単価の判断項目となる単価判断項目を含む受注内容の入力を受け付ける入力ステップと、前記入力ステップで受け付けられた前記得意先と前記単価判断項目の項目内容との組み合わせが、前記得意先ごとに前記単価判断項目の項目内容に応じた単価を記憶する単価マスタに記憶されている場合に、当該単価マスタで前記入力ステップにより受け付けられた前記得意先及び前記単価判断項目の前記項目内容に対応付けられている単価を表示させる表示制御ステップと、単価が確定した場合に、前記入力ステップが受け付けた前記得意先及び前記単価判断項目の前記項目内容に対応付けて確定した当該単価を前記単価マスタに記憶させる記憶制御ステップと、を含むこと、を特徴とする。
【発明の効果】
【００１２】
本発明によれば、過去に請求した単価の記録を表示することができる、という効果を奏する。
【図面の簡単な説明】
【００１３】
【図１】図１は、単価管理装置の構成の一例を示すブロック図である。
【図２】図２は、得意先マスタの一例を示す図である。
【図３】図３は、単価マスタの一例を示す図である。
【図４】図４は、得意先マスタを設定する得意先マスタ設定画面の一例を示す図である。
【図５】図５は、Ｂ社からの受注内容を入力する受注入力画面の一例を示す図である。
【図６】図６は、Ａ社からの受注内容を入力する受注入力画面の一例を示す図である。
【発明を実施するための形態】
【００１４】
以下に、本発明に係る単価管理装置、単価管理方法および単価管理プログラムの実施形態を、図面に基づいて詳細に説明する。なお、本実施形態によりこの発明が限定されるものではない。
【００１５】
［１．概要］
従来、運送業者は、得意先から運送を受注した場合に、事前に定められた単価に基づいて運送金額を算出している。しかし、運送業者は、特便と呼ばれる緊急の運送を依頼されることがある。特便の場合、運送業者は、特別な依頼であるため、事前に定められた単価表の単価ではなく、交渉により単価を定めている。交渉で妥当性のある単価を提示する必要があるため、運送業者は、前回同一条件で運送した特便の単価を参照している。しかしながら、過去の単価の調査は、得意先ごとに運送内容と単価を決定する判断項目が異なることもあり、煩わしく時間がかかっていた。
【００１６】
そこで、本実施形態においては、例えば、受注入力時に前回同一の運送内容で運送した時の単価を表示し、受注入力の確定時に運送内容と単価とを記憶させる単価管理装置、単価管理方法および単価管理プログラムを提供している。なお、本実施形態においては、運送業の場合を例に説明するが、運送業に限らず卸売業等の様々な業界においても適用することができる。以下、具体的な構成および動作について説明する。
【００１７】
［２．構成］
本実施形態に係る単価管理装置１００の構成について、図１を用いて説明する。図１は、単価管理装置１００の構成の一例を示すブロック図である。
【００１８】
単価管理装置１００は、市販のデスクトップ型パーソナルコンピュータである。なお、単価管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１９】
単価管理装置１００は、図１に示すように、制御部１０２と通信インターフェース部１０４と記憶部１０６と入出力インターフェース部１０８と、を備えている。単価管理装置１００が備えている各部は、任意の通信路を介して通信可能に接続されている。
【００２０】
通信インターフェース部１０４は、ルータ等の通信装置および専用線等の有線または無線の通信回線を介して、単価管理装置１００をネットワーク３００に通信可能に接続する。通信インターフェース部１０４は、他の装置と通信回線を介してデータを通信する機能を有する。ここで、ネットワーク３００は、単価管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２１】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２２】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２３】
記憶部１０６は、得意先ごとに、単価の判断項目となる候補の単価項目から選択された単価の判断項目となる単価判断項目を記憶する得意先マスタ１０６ａと、得意先ごとに、単価判断項目の項目内容に応じた単価を記憶する単価マスタ１０６ｂと、を記憶している。
【００２４】
図２は、得意先マスタ１０６ａの一例を示す図である。得意先マスタ１０６ａは、得意先ごとに、単価の使用方法の区分を示す汎用単価区分と、単価の判断項目となる単価判断項目の候補となる汎用単価項目とを対応付けて記憶している。すなわち、得意先マスタ１０６ａは、得意先を識別する得意先コードと、汎用単価区分と、単価判断項目とを対応付けて記憶している。なお、得意先とは、頻繁に発注する顧客に限らず、顧客であればよい。
【００２５】
汎用単価区分には、例えば、単価が確定した場合に単価を自動記憶するか否かの設定と、前回同一条件で配送した特便の単価を表示するか否かの設定とがある。そして、汎用単価区分には、例えば「０」、「１」又は「２」の何れかの値が設定される。「０」は、単価判断項目の項目内容と単価とを対応付けて自動記憶し、且つ前回の単価を表示しない設定である。「１」は、単価判断項目の項目内容と単価とを対応付けて自動記憶し、且つ前回の単価を表示する設定である。「２」は、単価判断項目の項目内容と単価とを自動記憶せずに、且つ前回の単価を表示する設定である。
【００２６】
汎用単価項目には、例えば、出発地を示す発地コード、出発地方面を示す発地方面コード、到着地を示す着地コード、到着地方面を示す着地方面コード、運送の品目を示す品目コード、運送の品名を示す品名コード、運送の単位を示す単位コード、運送する車の車種を示す請求車種コード、運送した車が実際に走行した距離を示す実車距離等がある。そして、汎用単価項目から単価の判断項目となる単価判断項目が選択される。図２に示す得意先マスタ１０６ａでは、「１」が単価判断項目に選択されたことを示しており、「０」が単価判断項目に選択されなかったことを示している。
【００２７】
さらに詳しくは、図２に示す得意先マスタ１０６ａでは、Ａ社は、汎用単価区分に「０」が設定され、発地コード、着地コード、及び品名コードが単価判断項目であることを示している。また、Ｂ社は、汎用単価区分に「１」が設定され、発地コード、及び着地コードが単価判断項目であることを示している。また、Ｃ社は、汎用単価区分に「２」が設定され、発地方面コード、着地方面コード、及び品目コードが単価判断項目であることを示している。
【００２８】
図３は、単価マスタ１０６ｂの一例を示す図である。単価マスタ１０６ｂは、得意先ごとに単価判断項目の項目内容と、項目内容に応じた単価と、を記憶する。図２に示す得意先マスタ１０６ａによれば、Ａ社は、汎用単価区分に「０」が設定され、発地コード、着地コード、及び品名コードが単価判断項目に設定されている。また、Ｂ社は、汎用単価区分に「１」が設定され、発地コード、及び着地コードが単価判断項目に設定されている。そのため、図３に示す単価マスタ１０６ｂにおいて、Ａ社およびＢ社については、自動記憶された単価判断項目の項目内容と、項目内容に応じた単価とを記憶している。また、Ｃ社は、汎用単価区分に「２」が設定され、発地方面コード、着地方面コード、及び品目コードが単価判断項目に設定されている。そのため、Ｃ社は、事前に設定された単価判断項目の項目内容と、項目内容に応じた単価とを記憶している。
【００２９】
制御部１０２は、単価管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３０】
制御部１０２は、機能概念的に、（１）前記得意先ごとに、前記単価判断項目を設定する設定手段としての得意先設定部１０２ａと、（２）得意先と、当該得意先から受注した、単価の判断項目となる単価判断項目を含む受注内容の入力を受け付ける入力手段としての受注入力部１０２ｂと、（３）前記入力手段が受け付けた前記得意先と前記単価判断項目の項目内容との組み合わせが、前記得意先ごとに前記単価判断項目の項目内容に応じた単価を記憶する単価マスタ１０６ｂに記憶されている場合に、当該単価マスタ１０６ｂで前記入力手段が受け付けた前記得意先及び前記単価判断項目の前記項目内容に対応付けられている単価を表示させる表示制御手段としての単価表示部１０２ｃと、（４）単価が確定した場合に、前記入力手段が受け付けた前記得意先及び前記単価判断項目の前記項目内容に対応付けて確定した当該単価を前記単価マスタ１０６ｂに記憶させる記憶制御手段としての単価記録部１０２ｄと、を備えている。得意先設定部１０２ａは、任意の構成要素であるが、制御部１０２に含まれることが好ましい。
【００３１】
得意先設定部１０２ａは、名称等の得意先の情報、及び得意先を識別する得意先コードを得意先マスタ１０６ａに設定する。さらに、得意先設定部１０２ａは、入力装置１１２を介して入力された汎用単価区分と、単価判断項目とを得意先マスタ１０６ａに設定する。
【００３２】
受注入力部１０２ｂは、受注内容の入力に関する各種処理を実行する。例えば、受注入力部１０２ｂは、受注入力画面を表示させる。そして、受注入力部１０２ｂは、受注入力画面で得意先から受注した受注内容の入力を受け付ける。受注内容には、発注した得意先を示す得意先コードと、単価判断項目の項目内容とが含まれている。
【００３３】
単価表示部１０２ｃは、受注入力部１０２ｂが受け付けた受注内容、つまり受注入力画面で入力された得意先コード及び単価判断項目の項目内容の組み合わせが単価マスタ１０６ｂに記憶されているか否かを判定する。単価表示部１０２ｃは、単価マスタ１０６ｂに記憶されている場合に、得意先コード及び単価判断項目の項目内容に対応付けられた単価を出力装置１１４に出力させる。すなわち、単価表示部１０２ｃは、単価をモニタ１１４に表示させる。なお、単価表示部１０２ｃは、モニタ１１４への表示出力に限らず、プリンタに印字出力させてもよい。
【００３４】
単価記録部１０２ｄは、単価を確定する操作を受け付けた場合に、受注した得意先の得意先コードに対応付けられている汎用単価区分を得意先マスタ１０６ａから抽出する。例えば、単価記録部１０２ｄは、抽出した汎用単価区分が「０」又は「１」である場合に、得意先コードと、単価判断項目の項目内容と、単価とを対応付けて単価マスタ１０６ｂに記憶させる。一方、単価記録部１０２ｄは、抽出した汎用単価区分が「２」である場合には、得意先コードと、単価判断項目の項目内容と、単価とを単価マスタ１０６ｂに記録しない。
【００３５】
［３．処理の具体例］
以下、本実施形態に係る処理の具体例について、図４〜図６を用いて詳細に説明する。図４は、得意先マスタ１０６ａを設定する得意先マスタ設定画面の一例を示す図である。図５は、Ｂ社からの受注内容を入力する受注入力画面の一例を示す図である。図６は、Ａ社からの受注内容を入力する受注入力画面の一例を示す図である。
【００３６】
本実施形態に係る処理の概要は以下のとおりである。単価管理装置１００は、事前に得意先コードと、汎用単位区分と、単価判断項目とを対応付けて得意先マスタ１０６ａに記憶する。
【００３７】
また、単価管理装置１００は、受注があった場合に、受注内容の入力を受け付ける。単価管理装置１００は、入力された受注内容の条件に適合する得意先コード、及び単価判断項目の項目内容が単価マスタ１０６ｂに記憶されているか否かを判定する。入力された受注内容と適合する得意先コード、及び単価判断項目の項目内容が単価マスタ１０６ｂに記憶されている場合に、単価管理装置１００は、適合した得意先コード、及び単価判断項目の項目内容に対応付けられている単価を表示させる。
【００３８】
さらに、単価管理装置１００は、単価を確定する操作を受け付けた場合に、受注した得意先の汎用単価区分に応じて、得意先コードと、単価判断項目の項目内容と、単価とを単価マスタ１０６ｂに記憶させる。
【００３９】
以下、本実施形態に係る各処理の詳細を説明する。
【００４０】
（得意先設定処理）
得意先設定部１０２ａは、得意先コード及び名称等の得意先の情報を設定する入力を受け付けた場合に、入力された得意先コード及び得意先の情報を得意先マスタ１０６ａに設定する。また、得意先設定部１０２ａは、得意先コードを指定して、得意先マスタ設定画面を表示させる操作を受け付けた場合に、図４に示す得意先マスタ設定画面を表示させる。得意先マスタ設定画面は、汎用単価区分を入力する入力欄と、汎用単価項目から単価判断項目を選択する選択入力欄とが含まれている。図４に示す得意先マスタ設定画面は、汎用単価区分に「１」を設定し、発地コード、着地コード、及び品名コードが単価判断項目に設定されたことを示している。得意先設定部１０２ａは、得意先マスタ設定画面で入力内容を確定する操作を受け付けた場合に、入力された汎用単価区分と、選択された単価判断項目とを得意先マスタ１０６ａに記憶させる。
【００４１】
（受注入力処理）
受注入力部１０２ｂは、受注入力画面を表示させる操作を受け付けた場合に、受注内容を入力する受注入力画面を表示させる。受注入力部１０２ｂは、例えば受注入力画面で受注日及び得意先コードの入力を受け付ける。受注入力部１０２ｂは、得意先コードが入力された場合に、入力された得意先コードに対応付けられている単価判断項目を得意先マスタ１０６ａから抽出する。
【００４２】
受注入力部１０２ｂは、受注入力画面の汎用単価項目うち、得意先マスタ１０６ａから抽出した単価判断項目の入力欄を強調表示する。なお、強調表示の表示態様は如何なる表示態様であってもよい。例えば、色を変えて表示するであってもよいし、点滅して表示させるであってもよい。図５に示す受注入力画面は、図２に示すＢ社の受注入力画面であり、得意先マスタ１０６ａにおいて単価判断項目に設定された発地コードの入力欄と、着地コードの入力欄とが強調表示された状態を示している。また、図６に示す受注入力画面は、図２に示すＡ社の受注入力画面であり、得意先マスタ１０６ａにおいて単価判断項目に設定された発地コードの入力欄と、着地コードの入力欄と、品名コードの入力欄とが強調表示された状態を示している。
【００４３】
また、図５及び図６に示す受注入力画面において、二重丸は、汎用単価項目であることを示している。
【００４４】
（単価表示処理）
単価表示部１０２ｃは、受注入力画面において単価取得ボタンが押下された場合に、受注入力画面で入力された得意先コードに対応付けられている汎用単価区分、及び単価判断項目を得意先マスタ１０６ａから抽出する。単価表示部１０２ｃは、受注入力画面に表示された単価判断項目の全てに項目内容が入力されているか否かを判定する。全ての単価判断項目に項目内容が入力されていない場合に、単価表示部１０２ｃは、エラー画面等を表示させて未だ項目内容が入力されていない単価判断項目について項目内容の入力を求める。一方、全ての単価判断項目に項目内容が入力されている場合に、単価表示部１０２ｃは、受注入力画面で入力された得意先コードに対応付けられた汎用単価区分に基づいて単価を表示するか否かを判定する。単価表示部１０２ｃは、抽出した汎用単価区分が「０」の場合には、単価の表示は実行しない。一方、単価表示部１０２ｃは、抽出した汎用単価区分が「１」又は「２」の場合には単価の表示を実行する。
【００４５】
さらに詳しくは、単価表示部１０２ｃは、受注入力画面で入力された得意先コードと単価判断項目の項目内容との組み合わせが単価マスタ１０６ｂに記憶されているか否かを判定する。単価表示部１０２ｃは、入力された得意先コードと単価判断項目の項目内容との組み合わせが単価マスタ１０６ｂに記憶されている場合に、得意先コード及び単価判断項目の項目内容に対応付けられた単価を受注入力画面に表示する。なお、単価表示部１０２ｃは、単価を受注入力画面に表示するトリガは単価取得ボタンが押下された場合に限らない。例えば、単価表示部１０２ｃは、所定時間が経過するごとに、単価判断項目について項目内容が入力されたか否かを判定する。そして、単価判断項目について項目内容が入力されている場合に、単価表示部１０２ｃは、入力内容が単価マスタ１０６ｂに記憶されているか否かを判定し、単価を受注入力画面に表示してもよい。
【００４６】
また、図５及び図６に示す受注入力画面は、単価マスタ１０６ｂから抽出した単価を表示する欄と、操作者が交渉結果としての単価を入力する欄とが同一になっている。しかしながら、これらの欄は別々に設けられていてもよい。
【００４７】
（単価記憶処理）
単価記録部１０２ｄは、例えば受注入力画面で単価を確定する操作を受け付けた場合に、受注入力画面で入力された得意先コードに対応付けられている汎用単価区分を得意先マスタ１０６ａから抽出する。単価記録部１０２ｄは、抽出した汎用単価区分が「２」の場合には単価の自動記憶は実行しない。一方、単価記録部１０２ｄは、抽出した汎用単価区分が「０」又は「１」の場合には単価の自動記憶を実行する。
【００４８】
さらに詳しくは、単価記録部１０２ｄは、受注入力画面で入力された得意先コードと、単価判断項目の項目内容との組み合わせが単価マスタ１０６ｂに記憶されているか否かを判定する。単価記録部１０２ｄは、単価マスタ１０６ｂに記憶されている場合には、入力された得意先コードと、単価判断項目の項目内容との組み合わせに対応付けられている単価マスタ１０６ｂの単価を、受注入力画面の単価に書き換えて記憶させる。一方、単価記録部１０２ｄは、単価マスタ１０６ｂに記憶されていない場合には、入力された得意先コードと、単価判断項目の項目内容との組み合わせを単価マスタ１０６ｂに新規に記憶させる。なお、単価記録部１０２ｄは、上述した単価の書き換えに限らず、受注入力画面の単価を追加して単価マスタ１０６ｂに記憶させてもよい。すなわち、単価マスタ１０６ｂは、得意先コードと、単価判断項目の項目内容との組み合わせに対して、複数の単価を記憶していてもよい。この場合には、単価表示部１０２ｃは、受注入力画面に複数の単価を表示してもよい。
【００４９】
このように、本実施形態によれば、単価管理装置１００は、得意先ごとに単価の判断項目となる単価判断項目を任意に設定する。そして、受注入力等において単価が確定した場合には、単価管理装置１００は、入力された単価判断項目の項目内容と、単価とを対応付けて単価マスタ１０６ｂに記憶させる。さらに、受注入力等において入力された単価判断項目の項目内容が単価マスタ１０６ｂに記憶されている場合には、単価管理装置１００は、該当する項目内容に対応付けられている単価を表示させる。従って、本実施形態によれば、単価管理装置１００は、過去に請求した単価の記録を表示することができる。よって、単価管理装置１００は、単価の交渉にかかる時間を短縮することができる。
【００５０】
［４．他の実施形態］
本発明は、上述した実施形態以外にも、特許請求の範囲に記載した技術的思想の範囲内において種々の異なる実施形態にて実施されてよいものである。
【００５１】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５２】
また、本明細書中や図面中で示した処理手順、制御手順、具体的名称、各処理の登録データや検索条件等のパラメータを含む情報、画面例、データベース構成については、特記する場合を除いて任意に変更することができる。
【００５３】
また、単価管理装置１００に関して、図示の各構成要素は機能概念的なものであり、必ずしも物理的に図示の如く構成されていることを要しない。
【００５４】
例えば、単価管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて単価管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５５】
また、このコンピュータプログラムは、単価管理装置１００に対して任意のネットワークを介して接続されたアプリケーションプログラムサーバに記憶されていてもよく、必要に応じてその全部または一部をダウンロードすることも可能である。
【００５６】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００５７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５８】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００５９】
また、単価管理装置１００は、既知のパーソナルコンピュータまたはワークステーション等の情報処理装置として構成してもよく、また、任意の周辺装置が接続された当該情報処理装置として構成してもよい。また、単価管理装置１００は、当該装置に本実施形態で説明した処理を実現させるソフトウェア（プログラムまたはデータ等を含む）を実装することにより実現してもよい。
【００６０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６１】
本発明は、運送業や卸売業等の単価を用いて金額を算出する業界において有用である。
【符号の説明】
【００６２】
１００  単価管理装置
１０２  制御部
１０２ａ  得意先設定部
１０２ｂ  受注入力部
１０２ｃ  単価表示部
１０２ｄ  単価記録部
１０４  通信インターフェース部
１０６  記憶部
１０６ａ  得意先マスタ
１０６ｂ  単価マスタ
１０８  入出力インターフェース部
１１２  入力装置
１１４  出力装置
２００  サーバ
３００  ネットワーク
【図１】
2019114032.tif 000003
【図２】
2019114032.tif 000004
【図３】
2019114032.tif 000005
【図４】
2019114032.tif 000006
【図５】
2019114032.tif 000007
【図６】
2019114032.tif 000008